(57)【要約】  【課題】冷蔵室のドア開閉が増加する夏場においても、冷凍室の能力を確保でき、さらに野菜室を高湿度に保ち、野菜室に貯蔵する食品の保鮮性を向上する冷蔵庫を提供することを目的とする。  【解決手段】第１の冷却器１７で冷蔵室と前記製氷室、前記第１の冷凍室を冷却し、第２の冷却器２０で前記第２の冷凍室を冷却するようにし、野菜室に直接冷気を循環させることなく、野菜室背面に設けた冷却プレートの熱伝達により、間接的に野菜室内を冷却することで、夏場冷蔵室のドア開閉が増え冷蔵室に暖湿気が流入しても冷凍室を冷却する第２の冷却器２０は影響を受けず冷凍室の能力を確保することができる。さらに野菜室内を高湿度に保つことができ、野菜室内に貯蔵する野菜等の食品の保鮮性を向上させることができる。【選択図】図２
2006023011.tif 000002
【特許請求の範囲】
【請求項１】
冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室と前記製氷室及び前記第１の冷凍室に導くための吐出風路及び戻り風路を設けた冷蔵室用ダクトと、前記第２の冷凍室の背面に設置された第２の冷却器と前記第２の冷却器によって冷却された冷気を前記第２の冷凍室へ導く吐出風路及び戻り風路を設けた冷凍室用ダクトを備え、前記第１の冷却器によって冷却される冷気を直接循環させることによって前記冷蔵室と前記製氷室、前記第１の冷凍室を冷却し、前記第２の冷却器によって冷却される冷気を直接循環させることによって前記第２の冷凍室のみを冷却し、前記製氷室及び前記第１の冷凍室と前記野菜室を仕切り、前記第２の冷却器によって冷却される冷気を循環させる風路を有する仕切り壁を有し、前記第２の冷却器によって冷却される冷気を前記仕切り壁内で循環させることにより、前記野菜室を間接的に冷却するとともに、前記第２の冷却器の冷却器カバーの壁厚を、第２の冷凍室と前記野菜室を仕切る仕切り壁よりも薄くすることを特徴とする冷蔵庫。
【請求項２】
野菜室背面に冷却プレートを備えたことを特徴とする請求項１に記載の冷蔵庫。
【請求項３】
冷却プレートは良熱伝導性材料で形成したことを特徴とする請求項２記載の冷蔵庫。
【請求項４】
前記製氷室及び前記第１の冷凍室と前記野菜室の仕切り部の壁厚を第２の冷凍室と前記野菜室を仕切る仕切り壁よりも薄くすることを特徴とする請求項１から３のいずれか一項に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が検討されている（例えば、特許文献１参照）。
【０００３】
図６は、特許文献１に記載された従来の冷蔵庫を示すものである。図６に示すように冷蔵庫本体１と、この本体の上部に設けられた冷蔵室２と、冷蔵室の下に設けられた切替室３と、冷蔵室の下で切替室に並列に設けられた製氷室４と、本体下部設けられた冷凍室５と、並列に設置された切替室及び製氷室と冷凍室の間に設けられた野菜室６と、冷気を生成する冷却器７と、冷気を各室に供給するファン装置８とを有し、冷凍室に冷気を供給するための冷凍室用送風路９と、製氷室に冷気を供給するための製氷用送風路１０と、製氷室から冷気を冷却器に戻す製氷室用帰還風路１１と、製氷室用送風路を通る冷気の一部を分流させて、切替室に送る切替室用送風路１２と、切替室から冷気を冷却器に戻すための切替室用帰還風路１３と、切替室用送風路を通る冷気の一部を分流させて、冷蔵室に送る冷蔵室用送風路１４と、冷蔵室に送られた冷気を野菜室に戻すための冷蔵室用帰還風路１５と、野菜室に送ら冷気を冷却器に戻すための野菜室用帰還風路１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場冷蔵室の扉開閉が増えた場合、大量の暖湿気が冷却器に付着することにより冷却器の能力が大幅にダウンし、製氷スピードが落ちるという課題を有していた。また野菜室に直接冷気を循環させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、冷蔵室のドア開閉が増加する夏場においても、製氷室の能力を確保し、さらに野菜室内に貯蔵する野菜等の食品の保鮮性を向上する冷蔵庫を提供することを目的とする。
【課題を解決するための手段】
【０００６】
本発明の冷蔵庫は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室と前記製氷室及び前記第１の冷凍室に導くための吐出風路及び戻り風路を設けた冷蔵室用ダクトと、前記第２の冷凍室の背面に設置された第２の冷却器と前記第２の冷却器によって冷却された冷気を前記第２の冷凍室へ導く吐出風路及び戻り風路を設けた冷凍室用ダクトを備え、前記第１の冷却器によって冷却される冷気を直接循環させることによって前記冷蔵室と前記製氷室、前記第１の冷凍室を冷却し、前記第２の冷却器によって冷却される冷気を直接循環させることによって前記第２の冷凍室のみを冷却し、前記製氷室及び前記第１の冷凍室と前記野菜室を仕切り、前記第２の冷却器によって冷却される冷気を循環させる風路を有する仕切り壁を有し、前記第２の冷却器によって冷却される冷気を前記仕切り壁内で循環させることにより、前記野菜室を間接的に冷却するとともに、前記第２の冷却器の冷却器カバーの壁厚を、第２の冷凍室と前記野菜室を仕切る仕切り壁よりも薄くするものである。
【０００７】
これによって、夏場冷蔵室のドア開閉が増え冷蔵室に暖湿気が流入しても第２の冷凍室を冷却する第２の冷却器は影響を受けず冷凍室の能力を確保することができる。さらに野菜室に直接冷気を循環させることなく、製氷室及び第１の冷凍室及び第２の冷凍室からの熱伝達により、間接的に野菜室内を冷却するため、野菜室内を高湿度に保つことができ、野菜室内に貯蔵する野菜等の食品の保鮮性を向上させることができる。
【発明の効果】
【０００８】
本発明の冷蔵庫は第１の冷却器で冷蔵室と、前記冷蔵室の下部に設けられた第１の冷凍室と、前記冷蔵室の下部で前記第１の冷凍室に並列配置された製氷及び氷の貯蔵を行う製氷室を冷却し、第２の冷却器で第２の冷凍室を冷却するようにしたことにより、夏場冷蔵室のドア開閉が増え冷蔵室に暖湿気が流入しても冷凍室を冷却する第２の冷却器は影響を受けず冷凍室の能力を確保することができる。また本発明の冷蔵庫は野菜室に直接冷気を循環させることなく、製氷室及び第１の冷凍室及び第２の冷凍室及び仕切り壁内を循環する冷気からの熱伝達により、間接的に野菜室内を冷却するため、野菜室内を高湿度に保つことができ、野菜室内に貯蔵する野菜等の食品の保鮮性を向上させることができる。
【発明を実施するための最良の形態】
【０００９】
請求項１に記載の発明は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室と前記製氷室及び前記第１の冷凍室に導くための吐出風路及び戻り風路を設けた冷蔵室用ダクトと、前記第２の冷凍室の背面に設置された第２の冷却器と前記第２の冷却器によって冷却された冷気を前記第２の冷凍室へ導く吐出風路及び戻り風路を設けた冷凍室用ダクトを備え、前記第１の冷却器によって冷却される冷気を直接循環させることによって前記冷蔵室と前記製氷室、前記第１の冷凍室を冷却し、前記第２の冷却器によって冷却される冷気を直接循環させることによって前記第２の冷凍室のみを冷却し、前記製氷室及び前記第１の冷凍室と前記野菜室を仕切り、前記第２の冷却器によって冷却される冷気を循環させる風路を有する仕切り壁を有し、前記第２の冷却器によって冷却される冷気を前記仕切り壁内で循環させることにより、前記野菜室を間接的に冷却するとともに、前記第２の冷却器の冷却器カバーの壁厚を、第２の冷凍室と前記野菜室を仕切る仕切り壁よりも薄くすることにより、夏場冷蔵室のドア開閉が増え冷蔵室に暖湿気が流入しても第２の冷凍室を冷却する第２の冷却器は影響を受けず冷凍室の能力を確保することができる。さらに野菜室に直接冷気を循環させることなく、製氷室及び第１の冷凍室及び第２の冷凍室からの熱伝達により、間接的に野菜室内を冷却するため、野菜室内を高湿度に保つことができ、野菜室内に貯蔵する野菜等の食品の保鮮性を向上させることができる。
【００１０】
請求項２に記載の発明は、請求項１に記載の発明において、野菜室背面に冷却プレートを備えたものであり、第２の冷却器の冷熱を、野菜室背面の冷却プレートを介して効率よく野菜室内に伝えることができ、野菜室に直接冷気を循環させることなく、間接的に野菜室内を冷却するため、野菜室内を高湿度に保つことができ、野菜室内に貯蔵する野菜等の食品の保鮮性を向上させることができる。
【００１１】
請求項３に記載の発明は、請求項１または２に記載の発明において、冷却プレートは良熱伝導性材料で形成したものであり、たとえば、熱伝導性に優れ、安価で、腐食に強いアルミを冷却プレートの材質とすることにより、低コストで、野菜室の保鮮性及び信頼性を高めることができる。
【００１２】
請求項４に記載の発明は、請求項１から３のいずれか一項に記載の発明において、前記製氷室及び前記第１の冷凍室と前記野菜室の仕切り部の壁厚を第２の冷凍室と前記野菜室を仕切る仕切り壁よりも薄くするものであり、前記第１の冷凍室からの熱伝達で、効率良く、間接的に野菜室内を冷却するため、野菜室内を高湿度に保つことができ、野菜室内に貯蔵する野菜等の食品の保鮮性を向上させることができる。
【００１３】
以下、本発明の実施の形態について、図面を参照しながら説明する。なお、この実施の形態によってこの発明が限定されるものではない。
【００１４】
（実施の形態１）
図１は本発明の実施の形態１による冷蔵庫の正面図である。図２は本発明の実施の形態１による冷蔵庫の風路図である。図３は本発明の実施の形態１における冷蔵庫の断面図である。
【００１５】
図１において、１は冷蔵庫本体であり、最上部に冷蔵室２と、冷蔵室２との下方に第１の冷凍室２８と、並列配置された製氷及び氷の貯蔵を行う製氷室４と、本体下部に設けられた第２の冷凍室２９と、並列配置した製氷室４及び第１の冷凍室２８と第２の冷凍室２９の間に設けられた、野菜類を貯蔵する野菜室６を有する。
【００１６】
図２、３において、２１は第１の仕切り壁であり、冷蔵室２と製氷室４及び第１の冷凍室２８を仕切っている。２２は第２の仕切り壁であり、製氷室４及び第１の冷凍室２８と野菜室６を仕切っている。２３は第３の仕切り壁であり、野菜室６と第２の冷凍室２９を仕切っている。１７は第１の冷却器であり冷蔵室背面に設置される。１８は冷蔵室冷却用ダクトであり、第１の冷却器１７によって冷却された冷気を冷蔵室２と製氷室４及び第１の冷凍室２８に導くための冷蔵室用吐出風路１８ａと、冷蔵室２と製氷室４及び第１の冷凍室２８を冷却した冷気を第１の冷却器１７に戻すための冷蔵室用戻り風路１８ｂを有しており、第１の冷却器１７の前に設置される。１９は冷蔵室用冷却ファンであり第１の冷却器１７で発生した冷気を循環させる。２０は、第２の冷却器であり、第２の冷凍室２９の奥に設置される。２４は冷凍室用ダクトであり、第２の冷却器２０で冷却された冷気を第２の冷凍室２９へ導く冷凍系吐出風路２４ａと第２の冷凍室２９を冷却した冷気を第２の冷却器２０に戻すための冷凍室用戻り風路２４ｂを有しており、第２の冷却器２０の前に設置される。２５は冷凍室用冷却ファンであり、第２の冷却器２０で発生した冷気を循環させる。２６は、良熱伝導性材料例えばアルミを材質とした冷却プレートであり、野菜室６の背面に設置される。また、第２の冷却器２０の冷却器カバーの野菜室６に臨む部分の壁厚を、第２の冷凍室と前記野菜室を仕切る仕切り壁２３よりも薄くしている。
【００１７】
以上のように構成された冷蔵庫について、以下その動作、作用について説明する。第１の冷却器１７によって冷却される冷気を直接循環させることによって冷蔵室２と製氷室４及び第１の冷凍室２８を冷却し、第２の冷却器２０によって冷却される冷気を直接循環させることによって第２の冷凍室２９のみを冷却し、さらに製氷室４及び第１の冷凍室２８及び第２の冷凍室２９からの熱伝達と、冷却プレート２６を介する第２の冷却器２０からの熱伝達で、野菜室６を間接的に冷却することにより、夏場冷蔵室２のドア開閉が増えて冷蔵室２に暖湿気が流入しても第２の冷凍室２９を冷却する第２の冷却器２０は影響を受けず第２の冷凍室２９の能力を確保することができる。
【００１８】
第２の冷却器２０の冷熱を、野菜室背面の冷却プレート２６を介して効率よく野菜室内に伝えることができ、野菜室に直接冷気を循環させることなく、間接的に野菜室内を冷却するため、野菜室内を高湿度に保つことができ、野菜室内に貯蔵する野菜等の食品の保鮮性を向上させることができる。
【００１９】
また、第２の冷却器２０の冷却器カバーの野菜室６に臨む部分の壁厚を、第２の冷凍室と前記野菜室を仕切る仕切り壁２３よりも薄くしているので、さらに効率よく野菜室６を冷却することができる。
【００２０】
（実施の形態２）
図１は本発明の実施の形態２による冷蔵庫の正面図である。図４は本発明の実施の形態２による冷蔵庫の風路図である。図５は本発明の実施の形態２における冷蔵室用ダクトおよび第２の仕切り壁を上部からみた図である。
【００２１】
図１の説明は実施の形態１と同様であるため省略する。
【００２２】
図４、図５において、２１は第１の仕切り壁であり、冷蔵室２と製氷室４及び第１の冷凍室２８を仕切っている。２２は第２の仕切り壁であり、専用の冷却風路２７が設けられており、製氷室４及び第１の冷凍室２８と野菜室６を仕切っている。２３は第３の仕切り壁であり、野菜室６と第２の冷凍室２９を仕切っている。１７は第１の冷却器であり冷蔵室背面に設置される。１８は冷蔵室冷却用ダクトであり、第１の冷却器１７によって冷却された冷気を冷蔵室２と製氷室４及び第１の冷凍室２８と第２の仕切り壁２２内に設けられた専用の冷却風路２７へ導く冷蔵系吐出風路１８ａと冷蔵室２と製氷室４及び第１の冷凍室２８を冷却した冷気及び第２の仕切り壁２２内に設けられた専用の冷却風路２７内を循環した冷気を第１の冷却器１７に戻すための冷蔵室用戻り風路１８ｂを有しており、第１の冷却器１７の前に設置される。１９は冷蔵室用冷却ファンであり第１の冷却器１７で発生した冷気を循環させる。
【００２３】
２０は、第２の冷却器であり、第２の冷凍室２９の奥に設置される。２４は冷凍室用ダクトであり、第２の冷却器２０で冷却された冷気を冷凍室２９へ導く冷凍系吐出風路２４ａと冷凍室２９を冷却した冷気を、第２の冷却器２０に戻すための冷凍室用戻り風路２４ｂを有しており、第２の冷却器２０の前に設置される。２５は冷凍室用冷却ファンであり、第２の冷却器２０で発生した冷気を循環させる。
【００２４】
また、製氷室及び第１の冷凍室と野菜室を仕切る第２の仕切り壁２２の断熱壁厚を野菜室６と第２の冷凍室２９を仕切る第３の仕切り壁２３より薄く設定している。
【００２５】
以上のように構成された冷蔵庫について、以下その動作、作用について説明する。第１の冷却器１７によって冷却される冷気を直接循環させることによって冷蔵室２と製氷室４及び第１の冷凍室２８を冷却し、さらに野菜室上部に設置される第２の仕切り壁２２内に設けられた専用の冷却風路２７を循環する冷気から冷却プレート２６を介する熱伝達により、効率良く、間接的に野菜室内を冷却するため、夏場冷蔵室２のドア開閉が増え冷蔵室２に暖湿気が流入しても第２の冷凍室２９を冷却する第２の冷却器２０は影響を受けず第２の冷凍室２９の能力を確保することができる。さらに野菜室６に直接冷気を循環させることなく、野菜室上部に設置される第２の仕切り壁２２内に設けられた専用の冷却風路２７を循環する冷気から冷却プレート２６を介する熱伝達により、効率良く、間接的に野菜室内を冷却するため、野菜室内を高湿度に保つことができ、野菜室内に貯蔵する野菜等の食品の保鮮性を向上させることができる。
【００２６】
また、製氷室及び第１の冷凍室と野菜室を仕切る第２の仕切り壁２２の断熱壁厚を野菜室６と第２の冷凍室２９を仕切る第３の仕切り壁２３より薄く設定しているので、前記第１の冷凍室２８からの熱伝達（冷却作用）で冷却能力が高まるとともに、効率良く、間接的に野菜室６内を冷却するため、野菜室内を高湿度に保つことができ、野菜室内に貯蔵する野菜等の食品の保鮮性をさらに向上させることができる。
【産業上の利用可能性】
【００２７】
以上のように、本発明にかかる冷蔵庫は、第１の冷却器で冷蔵室と前記製氷室、前記第１の冷凍室を冷却し、第２の冷却器で前記第２の冷凍室を冷却するようにし、野菜室に直接冷気を循環させることなく、製氷室及び第１の冷凍室及び第２の冷凍室からの熱伝達により、間接的に野菜室内を冷却するため、夏場冷蔵室のドア開閉が増え冷蔵室に暖湿気が流入しても第２の冷凍室を冷却する第２の冷却器は影響を受けず第２の冷凍室の能力を確保することができる。さらに野菜室内を高湿度に保つことができ、野菜室内に貯蔵する野菜等の食品の保鮮性を向上させることが可能となるので、冷凍機器全般の冷却方法の用途にも適用できる。
【図面の簡単な説明】
【００２８】
【図１】本発明による冷蔵庫の実施の形態１及び実施の形態２を説明する冷蔵庫正面図
【図２】本発明による冷蔵庫の実施の形態１を説明する冷蔵庫風路正面図
【図３】本発明による冷蔵庫の実施の形態１を説明する冷蔵庫断面図
【図４】本発明による冷蔵庫の実施の形態２を説明する冷蔵庫風路正面図
【図５】本発明による冷蔵庫の実施の形態２を説明する冷凍室用ダクト及び第２の仕切り壁を上部からみた図
【図６】従来の冷蔵庫の冷蔵庫風路正面図
【符号の説明】
【００２９】
１    冷蔵庫本体
２    冷蔵室
３    切替室
４    製氷室
５    冷凍室
６    野菜室
１７  第１の冷却器
１８  冷蔵室用ダクト
１８ａ  冷蔵室用吐出風路
１８ｂ  冷蔵室用戻り風路
２０  第２の冷却器
２２  第２の仕切り壁
２３  第３の仕切り壁
２４  冷凍室用ダクト
２４ａ  冷凍室用吐出風路
２４ｂ  冷凍室用戻り風路
２６  冷却プレート
２７  冷却風路
２８  第１の冷凍室
２９  第２の冷凍室
【図１】
2006023011.tif 000003
【図２】
2006023011.tif 000004
【図３】
2006023011.tif 000005
【図４】
2006023011.tif 000006
【図５】
2006023011.tif 000007
【図６】
2006023011.tif 000008